(57)【要約】【課題】オブジェクトの倒れを防止して良好な観賞用部を形成することができる観賞用部付箱体を提供する。【解決手段】箱本体１の天板５上に形状の異なる複数のオブジェクト１８，１９，２０を取り付けて観賞用部２とする。オブジェクト１８は、その下部端縁から下方に突出する単一の舌片２３を備える。箱本体１は、舌片２３を差し込み可能とする差込部６を備える。差込部６は、略Ｖ字状に屈曲する切れ目であり、この切れ目形状に沿って舌片２３を屈曲させて差し込むことにより、オブジェクト１８を起立姿勢で支持する。【選択図】図１
2018079939.tif 000002
【特許請求の範囲】
【請求項１】
箱本体の天板上に形状の異なる複数のオブジェクトを取り付けて観賞用部とした観賞用部付箱体であって、
前記オブジェクトの少なくとも１つは、該オブジェクトの下部端縁から下方に突出する単一の舌片を備え、
前記箱本体は、前記舌片を差し込み可能とする差込部を備え、
前記差込部は、略Ｖ字状に屈曲する切れ目であり、該差込部の切れ目形状に沿って前記舌片を屈曲させて差し込むことにより、前記オブジェクトを起立姿勢で支持することを特徴とする観賞用部付箱体。
【請求項２】
前記差込部は、前記切れ目における略Ｖ字の頂部に対応する角部が前方側に位置し、該切れ目の両端から前方に延びる小切れ目を備えることを特徴する請求項１記載の観賞用部付箱体。
【請求項３】
前記オブジェクトの少なくとも他の１つは、下部の所定位置から下方に突出する一対の他の舌片を備え、
前記箱本体は、各舌片を差し込み可能とすべく複数の直線状の切れ目によって形成された一対の他の差込部を備え、
両他の差込部は、その延長線が互いに角度をもって交差する向きに形成されていることを特徴とする請求項１又は２記載の観賞用部付箱体。
【請求項４】
前記箱本体は、底板と、該底板の周縁に沿って起立する周壁と、該周壁により包囲された空間の上面を閉塞する前記天板とを備え、
前記周壁の一部であって後方に位置する後壁板の上端に連設されて前記観賞用部の後面となる前記天板の後端部から起立する背景板を備えることを特徴とする請求項１〜３の何れか１項記載の観賞用部付箱体。
【請求項５】
前記背景板は、前記箱本体の後壁板の上端にヒンジ部を介して搖動自在に設けられ、
前記箱本体は、前記背景板及び前記後壁板から遊離して前記背景板を起立状態に支持する支持片を備えることを特徴とする請求項４記載の観賞用部付箱体。
【請求項６】
前記箱本体は、前記背景板と前記後壁板とから前記支持片を遊離させるとき、前記支持片に隣接する前記後壁板の一部を押圧することにより前記支持片の側縁への指掛けが可能となる指掛け孔部を備えることを特徴とする請求項５記載の観賞用部付箱体。
【発明の詳細な説明】
【技術分野】
【０００１】
本発明は、箱本体の天板上に形状の異なる複数のオブジェクトを取り付けて観賞用部とした観賞用部付箱体に関する。
【背景技術】
【０００２】
従来、板紙を組み立てることにより形成される箱体において、天板の上面に形成した切れ目にイラスト等を表示した紙製オブジェクトの一部を差し込んで取り付けることで観賞用部としたものが知られている（下記特許文献１参照）。このものでは、箱本体の天板に形成した切れ目に紙製オブジェクトを差し込むだけで観賞用部を容易に組み立てることができる。
【先行技術文献】
【特許文献】
【０００３】
【特許文献１】実公平４−４３４６７号公報
【発明の概要】
【発明が解決しようとする課題】
【０００４】
しかし、上記従来の観賞用部付箱体は、厚みが比較的小さい天板の切れ目に、同様に厚みが比較的小さい紙製オブジェクトを鉛直方向に突き刺すために、紙製オブジェクトの起立状態を維持することが困難な構造となっている。このため、不用意に紙製オブジェクトが倒れてしまい、良好な観賞用部を形成することができない不都合があった。
【０００５】
上記の点に鑑み、本発明は、オブジェクトの倒れを防止して良好な観賞用部を形成することができる観賞用部付箱体を提供することを目的とする。
【課題を解決するための手段】
【０００６】
かかる目的を達成するために、本発明は、箱本体の天板上に形状の異なる複数のオブジェクトを取り付けて観賞用部とした観賞用部付箱体であって、前記オブジェクトの少なくとも１つは、該オブジェクトの下部端縁から下方に突出する単一の舌片を備え、前記箱本体は、前記舌片を差し込み可能とする差込部を備え、前記差込部は、略Ｖ字状に屈曲する切れ目であり、該差込部の切れ目形状に沿って前記舌片を屈曲させて差し込むことにより、前記オブジェクトを起立姿勢で支持することを特徴とする。
【０００７】
本発明によれば、観賞用部のオブジェクトを箱本体の天板上に取り付けるとき、略Ｖ字状の切れ目である差込部に、オブジェクトの舌片を屈曲させて差し込むことにより、オブジェクトの倒れを防止して良好な観賞用部を形成することができる。
【０００８】
このとき、前記差込部は、前記切れ目における略Ｖ字の頂部に対応する角部が前方側に位置し、該切れ目の両端から前方に延びる小切れ目を備えることが好ましい。舌片を前記差込部に差し込むとき、小切れ目によって差込部が円滑に開いて差込作業を容易に行うことができる。しかも、オブジェクトが箱本体の天板上に起立したときにオブジェクトの後方への倒れが確実に防止することができる。
【０００９】
また、本発明において、前記オブジェクトの少なくとも他の１つは、下部の所定位置から下方に突出する一対の他の舌片を備え、前記箱本体は、各舌片を差し込み可能とすべく複数の直線状の切れ目によって形成された一対の他の差込部を備え、両他の差込部は、その延長線が互いに角度をもって交差する向きに形成されていることを特徴とする。
【００１０】
他のオブジェクトとして、一対の他の舌片を備えるものに対応させて、天板に、直線状の切れ目によって形成された一対の他の差込部を形成したとき、両他の差込部の延長線が互いに角度をもって交差する向きに、各他の差込部を形成することで、他のオブジェクトの倒れを防止して良好な観賞用部を形成することができる。
【００１１】
また、本発明において、前記箱本体は、底板と、該底板の周縁に沿って起立する周壁と、該周壁により包囲された空間の上面を閉塞する前記天板とを備え、前記周壁の一部であって後方に位置する後壁板の上端に連設されて前記観賞用部の後面となる前記天板の後端部から起立する背景板を備えることが好ましい。背景板を設けることによって、箱本体の天板上の各オブジェクトの存在を際立たせることができ、良好な観賞用部を形成することができる。
【００１２】
このとき、前記背景板は、前記箱本体の後壁板の上端にヒンジ部を介して搖動自在に設けられ、前記箱本体は、前記背景板及び前記後壁板から遊離して前記背景板を起立状態に支持する支持片を備えることが好ましい。支持片によって背景板を起立状態に維持でき、良好な観賞用部を形成することができる。
【００１３】
更に、このとき、前記箱本体は、前記背景板と前記後壁板とから前記支持片を遊離させるとき、前記支持片に隣接する前記後壁板の一部を押圧することにより前記支持片の側縁への指掛けが可能となる指掛け孔部を備えることが好ましい。これによれば、後壁板の一部を押圧して指掛け孔部を形成するだけで、連続して支持片の端縁に指等が掛かり、支持片を遊離させる作業を容易に行うことができる。
【図面の簡単な説明】
【００１４】
【図１】本発明の一実施形態の使用状態を示す斜視図。
【図２】本実施形態の箱本体の展開図。
【図３】本実施形態の箱本体の説明的斜視図。
【図４】本実施形態の箱本体の背面側を示す斜視図。
【図５】図５Ａはオブジェクトを有する板紙を示す平面図、図５Ｂは板紙を折り曲げた状態の斜視図。
【図６】第１のオブジェクトを示す斜視図。
【図７】第２のオブジェクトを示す斜視図。
【図８】第３のオブジェクトを示す斜視図。
【発明を実施するための形態】
【００１５】
本発明の一実施形態を図面に基づいて説明する。本実施形態の観賞用部付箱体は、図１に示すように、箱本体１の上面に観賞用部２を設けたことにより構成される。
【００１６】
箱本体１は、図２に示す板紙を組み立てることによって形成される。即ち、図２に示すように、矩形状の底板３の前側となる端縁には、折目線ａを介して前壁板４が設けられ、前壁板４の上側となる端縁には、折目線ｂを介して天板５が設けられている。
【００１７】
天板５には、後述する３種のオブジェクト（第１のオブジェクト１８、第２のオブジェクト１９、及び第３のオブジェクト２０）を夫々複数個取り付けるための複数の差込部が形成されている。各差込部は、形状の異なる３種の切れ目（第１の切れ目６、第２の切れ目７、及び第３の切れ目８）により構成されている。
【００１８】
第１の切れ目６（本発明における差込部に相当する）は、略Ｖ字状に屈曲して形成されている。第１の切れ目６のＶ字の頂部に対応する角部６ａは前方側に位置し、該第１の切
れ目６の両端には、前方に延びる小切れ目６ｂが連続して形成されている。第２の切れ目７は、コ字状に形成されている。第３の切れ目８（本発明における他の差込部に相当する）は、直線状に形成されて所定の距離を存して２つ１組で構成される。１組となる２つの第３の切れ目８は、各第３の切れ目８の図示しない延長線が互いに角度をもって交差する向きに形成されている。
【００１９】
天板５の後側となる端縁には、折目線ｃを介して接着片９が設けられており、底板３の後側となる端縁には、折目線ｄを介して後壁板１０が設けられている。天板５の左右側縁には夫々折目線ｅを介して同形の側板１１が一対設けられている。
【００２０】
各側板１１の先端には夫々折目線ｆを介して同形の折込片１２が設けられている。前壁板４の左右側縁及び後壁板１０の左右側縁には夫々折目線ｇを介して四つの小フラップ１３が設けられている。
【００２１】
以上のように、前壁板４、後壁板１０、及び、左右の側板１１は、箱本体１の周壁を構成している。
【００２２】
また、後壁板１０の上側となる端縁には、ヒンジ部となる折目線ｈを介して背景板１４が設けられている。組立後の背景板１４は、前側を向く前板部１４ａと後側を向く後板部１４ｂとで２枚構成となっている。前板部１４ａと後板部１４ｂとはその境界に設けられた折目線ｉを介して折り返すことにより互いに重合し接着して１枚の状態に形成される。
【００２３】
更に、後壁板１０から背景板１４の後板部１４ｂにかけて、ミシン目等による破断可能線ｊと直線状の折目線ｋとにより遊離自在とされた支持片１５が設けられている。支持片１５に隣接する後壁板１０の一部には、手指を差込可能な大きさに形成された遊離小片１６が設けられている。遊離小片１６は、切目線ｍによって遊離自在となっている。接着片９の遊離小片１６に対応して重なる位置には、他の遊離小片１７が切目線ｎによって遊離自在に設けられている。
【００２４】
箱本体１を組み立てるときには、先ず、各折目線ａ，ｂ，ｃ，ｄを折り曲げて底板３上に天板５を対向させ、後壁板１０を接着片９に接着することで、角筒状に形成する。次いで、天板５の両端縁の折目線ｅを折り曲げて左右の側板１１により角筒状の箱本体１の両側を閉塞する。このとき、折目線ｆを折り曲げて折込片１２を内部に折り込むことで、直方体状の箱本体１が形成される。
【００２５】
背景板１４は、前板部１４ａと後板部１４ｂとが折目線ｉを介して折り返されて互いに接着され、ヒンジ部となる折目線ｈに沿って搖動可能となることにより、図３に示すように、箱本体１の天板５上に重合させて天板５の上面を覆うことができるようになっている。
【００２６】
図１に示す観賞用部２は、使用者が背景板１４を起立させ、天板５上の所定の位置に第１のオブジェクト１８、第２のオブジェクト１９、及び第３のオブジェクト２０を取り付けることによって形成される。即ち、本実施形態の観賞用部付箱体においては、箱本体１を既成とし観賞用部２を未完成の状態とすることで、使用者に対して組み立てる楽しみを提供することができるようになっている。
【００２７】
背景板１４は、図４に示すように、天板５の後縁に起立させた後に、破断可能線ｊを破断して支持片１５を折目線ｋに沿って外方に折り曲げる。このとき、遊離小片１６及び他の遊離小片１７を共に箱本体１の内方に押し込むことにより、指掛け孔部２１を形成し、指掛け孔部２１により露出する支持片１５の端縁に指を掛けることにより支持片１５を遊
離させる作業を容易に行うことができる。
【００２８】
各オブジェクト１８，１９，２０は、図５に示すように、矩形の板紙から切り抜き可能な状態で形成されている。オブジェクト１８，１９，２０を備える板紙は、折目線ｐを介して折り曲げることにより折り畳むことができ、折り畳んで箱本体１内部に収容される。
【００２９】
第１のオブジェクト１８は、図６に示すように、イラスト等を表示する表示面２２と、表示面２２の下縁から下方に突出する単一の舌片２３とを備えている。第１のオブジェクト１８の舌片２３は、第１の切れ目６に差し込み可能となるものである。
【００３０】
また、第１のオブジェクト１８には、舌片２３の下縁から表示面２２の略下半部にかけて上方に延びる折目線ｒが形成されている。この折目線ｒを屈曲させることで、舌片２３が第１の切れ目６に対応する形状となって差し込み可能となる。そして、屈曲させた舌片２３を、屈曲する第１の切れ目６に対応させて差し込むことにより、第１のオブジェクト１８の搖動が防止され、第１のオブジェクト１８の起立姿勢を維持することができる。
【００３１】
更に、舌片２３を第１の切れ目６に差し込むとき、第１の切れ目６の両端の小切れ目６ｂによって第１の切れ目６が円滑に開いて差込作業が容易に行えると共に、第１のオブジェクト１８が箱本体１の天板５上に起立したときに第１のオブジェクト１８の後方への倒れが確実に防止される。
【００３２】
第２のオブジェクト１９は、図７に示すように、板紙から切り抜いた後に所定形状に組み立てたブロック部２４と、ブロック部２４の下縁から下方に突出する一対の脚片２５とを備えている。第２のオブジェクト１９の一対の脚片２５は、コ字状の第２の切れ目７に差し込み可能となるものである。
【００３３】
そして、第２のオブジェクト１９の脚片２５を第２の切れ目７に対応させて差し込みむことにより、第２のオブジェクト１９が箱本体１の天板５上に取り付けられる。
【００３４】
第３のオブジェクト２０は、図８に示すように、イラスト等を表示する表示面２６と、表示面２６の下縁から下方に突出する２つの舌片２７とを備えている。第３のオブジェクト２０の２つの舌片２７は、第３の切れ目８に差し込み可能となるものである。
【００３５】
また、第３のオブジェクト２０には、表示面２６の略下半部に上下に延びる折目線ｓが形成されている。この折目線ｓを屈曲させることで、両舌片２７が第３の切れ目８に対応するように相互に斜めに対向するように配置される。これにより、夫々の舌片２７は、延長線が角度を持って互いに交差するように形成された第３の切れ目８に差し込み可能となる。
【００３６】
そして、第３のオブジェクト２０の夫々の舌片２７を第３の切れ目８に対応させて差し込みむことにより、第３のオブジェクト２０の搖動が防止され、第３のオブジェクト２０の起立姿勢を維持することができる。
【００３７】
なお、本実施形態においては、箱本体１の天板５に形成した３種の切れ目（第１の切れ目６、第２の切れ目７、及び第３の切れ目８）に対応して３種のオブジェクト（第１のオブジェクト１８、第２のオブジェクト１９、及び第３のオブジェクト２０）を設けた観賞用部２について説明したが、各オブジェクト１８，１９，２０の形状及び数は図示のものに限定されない。
【００３８】
また、図示しないが、本発明の観賞用部付箱体は、箱本体の内部に缶詰等の被包装物品
を収容する包装箱として用いてもよく、その場合には、被包装物に対応する形状に箱本体を形成すればよい。
【符号の説明】
【００３９】
１…箱本体、２…観賞用部、３…底板、５…天板、６…第１の切れ目（差込部）、６ａ…角部、６ｂ…小切れ目、８…第３の切れ目（他の差込部）、１０…後壁板、１４…背景板、１５…支持片、１８…第１のオブジェクト（オブジェクト）、２０…第３のオブジェクト（他のオブジェクト）、２１…指掛け孔部、２３…舌片（単一の舌片）、２７…舌片（一対の他の舌片）、ｈ…折目線（ヒンジ部）。
【図１】
2018079939.tif 000003
【図２】
2018079939.tif 000004
【図３】
2018079939.tif 000005
【図４】
2018079939.tif 000006
【図５】
2018079939.tif 000007
【図６】
2018079939.tif 000008
【図７】
2018079939.tif 000009
【図８】
2018079939.tif 000010